(57)【要約】【課題】容易かつ安価にてシステムを構築することができるとともに、メンテナンス費も安価にすることができる散水システムおよび散水コントローラを提供すること。【解決手段】ラッチ型電磁弁である各散水バルブ１３ａ，１３ｂ，１３ｃ，…と、それらの散水バルブ１３ａ，１３ｂ，１３ｃ，…に対する命令を出す汎用のパーソナルコンピュータ１１と、そのパーソナルコンピュータ１１からの命令に基づき各散水バルブ１３ａ，１３ｂ，１３ｃ，…の動作を制御するとともに、パーソナルコンピュータ１１と各散水コントローラ１２ａ，１２ｂ，１２ｃ，…とをＬＡＮ接続するＬＡＮ接続回２１を備える各散水コントローラ１２ａ，１２ｂ，１２ｃ，…とにより、散水システム１０構成する。【選択図】            図１
2004173583.tif 000002
【特許請求の範囲】
【請求項１】
設置場所に散水を行う散水機と、
前記散水機に対する命令を出すパーソナルコンピュータと、
前記パーソナルコンピュータからの命令に基づき前記散水機の動作を制御するコントローラと、
前記パーソナルコンピュータと前記コントローラとをＬＡＮ接続するＬＡＮ接続回路とを有することを特徴する散水システム。
【請求項２】
請求項１に記載する散水システムにおいて、
前記散水機は、前記パーソナルコンピュータにあらかじめ入力されたプログラムにしたがって散水を行うことを特徴する散水システム。
【請求項３】
請求項１または請求項２に記載する散水システムにおいて、
前記散水機は、自己保持型電磁弁を備え、
前記コントローラは、前記自己保持型電磁弁の動作を制御するためのパルス信号を出力するパルス出力回路を備え、
前記自己保持型電磁弁の開閉制御は、前記パルス出力回路から出力されるパルス信号に基づいて行われることを特徴する散水システム。
【請求項４】
請求項１から請求項３に記載するいずれか１つの散水システムにおいて、
前記コントローラの電源として、ソーラセルおよびバッテリを備えていることを特徴する散水システム。
【請求項５】
請求項１から請求項４に記載するいずれか１つの散水システムであって、
前記コントローラの電源として、乾電池あるいはＡＣアダプタ入力が利用可能であることを特徴する散水システム。
【請求項６】
請求項１から請求項５に記載するいずれか１つの散水システムにおいて、
前記ＬＡＮ接続回路は、無線ＬＡＮ対応型のものであることを特徴する散水システム。
【請求項７】
自己保持型電磁弁を備える散水機の動作を制御する散水コントローラにおいて、
電源と、
ＣＰＵと、
前記散水機に対しパルス信号を出力するパルス信号出力回路と、
外部装置とＬＡＮ接続を行うためのＬＡＮ接続回路とを備え、
前記ＣＰＵは、前記ＬＡＮ接続回路に接続された前記外部装置からの命令にしたがって前記散水機に対するパルス信号生成命令を出力し、
前記パルス信号出力回路は、前記パルス信号生成命令に基づいて前記散水機の動作制御を行うためのパルス信号を出力することを特徴とする散水コントローラ。
【請求項８】
請求項７に記載する散水コントローラにおいて、
前記電源として、ソーラセルおよびバッテリを備えることを特徴とする散水コントローラ。
【請求項９】
請求項７または請求項８に記載する散水コントローラにおいて、
前記電源として、乾電池あるいはＡＣアダプタ入力が利用可能であることを特徴とする散水コントローラ。
【請求項１０】
請求項７から請求項９に記載するいずれか１つの散水コントローラにおいて、
前記ＬＡＮ接続回路は、無線ＬＡＮ対応型のものであることを特徴する散水コントローラ
【発明の詳細な説明】
【０００１】
【発明の属する技術分野】
本発明は、散水システムおよび散水コントローラにに関する。さらに詳細には、遠隔操作により散水動作を制御することができる散水システムおよび散水コントローラに関するものである。
【０００２】
【従来の技術】
従来の散水システムは、図５に示すように、散水箇所に個別に、散水バルブ１０３ａ，１０３ｂ，１０３ｃ，…を設置し、必要に応じて散水バルブ１０３ａ，１０３ｂ，１０３ｃ，…の設置場所において、散水バルブ１０３ａ，１０３ｂ，１０３ｃ，…と一体化された散水設定コントローラ１０２ａ，１０２ｂ，１０２ｃ，…により、散水時間や散水量などの設定、変更を行うようになっている。なお、図５は、散水システム１００のシステム構成図である。したがって、従来の散水システム１００では、各散水箇所に実際に足を運びそこで散水を行ったり、散水時間や散水量などの設定、変更を行っていた。そのため、散水場所が多い場合（例えば、ゴルフ場など）、散水場所までの距離がある場合、あるいは散水場所への出入りが困難である場合など、散水操作や散水内容の変更等の操作が非常に手間のかかる作業であった。
【０００３】
そこで、ゴルフ場などにおける散水システムとして、無線を利用したシステムが種々提案されている。そのうちの１つとして、例えば、特開２００２−２３３２５５号公報に開示されている散水システムがある。この散水システム１１０は、図６に示すように、複数の散水エリアにそれぞれ設置された複数のスプリンクラーと、無線回線を介して複数のスプリンクラーの各弁１２１の開閉を遠隔制御する中央制御部１２０とを有する散水システムであって、中央制御部１２０は、気象観測器１２４により観測された散水エリアまたはその近傍の気象情報Ｄ１を記憶するメモリ部と、その記憶されている気象情報Ｄ１  に基づいて気象情報表示データを生成するデータ処理部と、データ処理部から出力される気象情報表示データに従って気象情報を表示する表示部とを備えて構成されている。なお、図６は、散水システム１２０のシステム構成図である。
【０００４】
そして、この散水システム１１０では、中央制御部１２０から気象情報Ｄ１と散水量情報Ｄ２とが親局無線装置１２５に伝送され、親局無線装置１２５から各子局無線装置１２６ａ，１２６ｂ，１２６ｃに対して散水制御信号が送信される。そうすると、散水制御信号が各子局無線装置１２６ａ，１２６ｂ，１２６ｃで受信されて、その散水制御信号に基づいて各散水エリアに設置された各スプリンクラーの各弁１２１の開閉動作が制御される。このようにして、各散水エリアにおける散水操作や散水内容の変更等の操作を、中央制御部１２０において集中的に行うことができるようになっている。
【０００５】
【特許文献１】
特開２００２−２３３２５５号公報（第３−５頁、第１図）
【０００６】
【発明が解決しようとする課題】
しかしながら、上記した特開２００２−２３３２５５号公報に記載されている散水システム１１０を構築するには高価な無線機材、つまり親局無線装置１２５と子局無線装置１２６ａ，１２６ｂ，１２６ｃが必要であるという問題があった。このため、散水システムが非常に高価なものとなってしまう。また、雷害などにより子局無線装置が破壊あるいは故障した場合の修理費も高額になるという問題があった。このような事情から、実際には、上記した特開２００２−２３３２５５号公報に記載されているような散水システム１１０は利用されていない状況にある。
【０００７】
そこで、本発明は上記した問題点を解決するためになされたものであり、容易かつ安価にてシステムを構築することができるとともに、メンテナンス費も安価にすることができる散水システムおよび散水コントローラを提供することを課題とする。
【０００８】
【課題を解決するための手段】
上記問題点を解決するためになされた本発明に係る散水システムは、設置場所に散水を行う散水機と、散水機に対する命令を出すパーソナルコンピュータと、パーソナルコンピュータからの命令に基づき散水機の動作を制御するコントローラと、パーソナルコンピュータとコントローラとをＬＡＮ接続するＬＡＮ接続回路とを有することを特徴するものである。
【０００９】
この散水システムでは、散水機とパーソナルコンピュータとがＬＡＮ接続回路を介してＬＡＮ接続されてネットワークが構築されている。これにより、パーソナルコンピュータからの命令をＬＡＮ接続により散水機へ伝送することができる。具体的には、パーソナルコンピュータからの命令は、コントローラで受信され、そこで散水機に対する制御信号が生成されて、その生成された制御信号が散水機に対し出力され、その制御信号に基づいて散水機の動作が制御される。したがって、パーソナルコンピュータにて散水機の動作を集中制御することができる。そして、本システムは、汎用のパーソナルコンピュータとＬＡＮ接続回路とによりネットワークを構成しているので、容易かつ安価に構築することができる。
【００１０】
本発明に係る散水システムにおいては、散水機は、パーソナルコンピュータから入力された散水プログラムにしたがって散水を行うことが望ましい。これにより、より細やかな散水を行うことができるからである。
【００１１】
また、本発明に係る散水システムにおいては、散水機は、自己保持型電磁弁を備え、コントローラは、自己保持型電磁弁の動作を制御するためのパルス信号を出力するパルス出力回路を備え、自己保持型電磁弁の開閉制御は、パルス出力回路から出力されるパルス信号に基づいて行われることが望ましい。こうすることにより、コントローラの消費電力を低減することができるからである。
【００１２】
また、本発明に係る散水システムにおいては、コントローラの電源として、ソーラセルおよびバッテリを備えていることが望ましい。これにより、外部からの電源供給を必要としないので、電源設備のない場所（例えば、ゴルフ場など）にも設置することができるからである。
【００１３】
さらに、本発明に係る散水システムにおいては、コントローラの電源として、乾電池あるいはＡＣアダプタ入力が利用可能であることが望ましい。乾電池を利用することができると、外部からの電源供給を必要としないので、電源設備のない場所（例えば、ゴルフ場など）にも設置することができるからである。また、上記したように、ソーラセルおよびバッテリを備えていても、必要な電力を供給できない場合もあるため、そのときのバックアップ電源として役立つからである。なお、乾電池としては、リチウム電池のような自然放電が少なく長期間の使用が可能なものがよい。一方、ＡＣアダプタ入力を利用することができると、一般家庭やビルの屋上など電源設備がある場所に設置する場合などには便利だからである。
【００１４】
また、本発明に係る散水システムにおいては、ＬＡＮ接続回路は、無線ＬＡＮ対応型のものであることが望ましい。これにより、散水機の遠距離制御を行うことができる無線システムを安価に構築することができるからである。また、携帯電話などの携帯端末からも散水機の動作を制御可能にすることができるからである。
【００１５】
上記問題点を解決するためになされた本発明に係る散水コントローラは、自己保持型電磁弁を備える散水機の動作を制御する散水コントローラであって、電源と、ＣＰＵと、散水機に対しパルス信号を出力するパルス信号出力回路と、外部装置とＬＡＮ接続を行うためのＬＡＮ接続回路とを備え、ＣＰＵは、ＬＡＮ接続回路に接続された外部装置からの命令にしたがって散水機に対するパルス信号生成命令を出力し、パルス信号出力回路は、パルス信号生成命令に基づいて散水機の動作制御を行うためのパルス信号を出力することを特徴とするものである。
【００１６】
この散水コントローラでは、ＣＰＵにより、ＬＡＮ接続回路に接続された外部装置からの命令を受信すると、その命令にしたがって散水機に対するパルス信号生成命令が出力される。そして、パルス信号出力回路により、ＣＰＵからのパルス信号生成命令に基づいて散水機の動作制御を行うためのパルス信号が出力される。その後、パルス信号出力回路から出力されたパルス信号に基づき、自己保持型電磁弁が開閉されることにより、散水機による散水が行われる。
【００１７】
このように、散水コントローラは、散水機に対する命令の受信と発信のみを行うように構成しているので部品点数が少ない。このため、非常に安価にて製造することができるとともに、メンテナンス費も安価にでき、また信頼性も高い。そして、この散水コントローラを使用することにより、安価にて遠距離制御が可能な散水システムを安価に構築することができる。
【００１８】
また、本発明に係る散水コントローラにおいては、電源として、ソーラセルおよびバッテリを備えることが望ましい。これにより、外部からの電源供給を必要としないので、電源設備のない場所（例えば、ゴルフ場など）にも設置することができるからである。
【００１９】
さらに、本発明に係る散水コントローラにおいては、電源として、乾電池あるいはＡＣアダプタ入力が利用可能であることが望ましい。乾電池を利用することができると、外部からの電源供給を必要としないので、電源設備のない場所（例えば、ゴルフ場など）にも設置することができるからである。また、上記したように、ソーラセルおよびバッテリを備えていても、必要な電力を供給できない場合もあるため、そのときのバックアップ電源として役立つからである。なお、乾電池としては、リチウム電池のような自然放電が少なく長期間の使用が可能なものがよい。一方、ＡＣアダプタ入力を利用することができると、一般家庭やビルの屋上など電源設備がある場所に設置する場合などには便利だからである。
【００２０】
また、本発明に係る散水コントローラにおいては、ＬＡＮ接続回路は、無線ＬＡＮ対応型のものであることが望ましい。れにより、散水機の遠距離制御を行うことができる無線システムを安価に構築することができるからである。また、携帯電話などの携帯端末からも散水機の動作を制御可能にすることができるからである。
【００２１】
【発明の実施の形態】
以下、本発明の散水システムおよび散水コントローラを具体化した最も好適な実施の形態について図面に基づき詳細に説明する。本実施の形態は、ゴルフ場の散水システムに本発明を適用したものである。そこで、本実施の形態に係る散水システムの概略構成を図１に示す。なお、図１は、本実施の形態に係る散水システムの概略構成を示すシステム構成図である。この散水システム１０は、図１に示すように、パーソナルコンピュータ１１と、各散水コントローラ１２ａ，１２ｂ，１２ｃ，…と、各散水バルブ１３ａ，１３ｂ，１３ｃ，…とが備わっている。
【００２２】
パーソナルコンピュータ１１はゴルフ場の管理事務所に設置され、各散水コントローラ１２ａ，１２ｂ，１２ｃ，…と各散水バルブ１３ａ，１３ｂ，１３ｃ，…とは散水場所であるグリーン等に設置されている。そして、パーソナルコンピュータ１１と各散水コントローラ１２ａ，１２ｂ，１２ｃ，…とがＬＡＮ接続されている。また、散水コントローラ１２ａ，１２ｂ，１２ｃ，…と各散水バルブ１３ａ，１３ｂ，１３ｃ，…とが接続されている。なお、各散水バルブ１３ａ，１３ｂ，１３ｃ，…には、水を噴霧するスプリンクラー（図示せず）がそれぞれ接続され、各散水バルブ１３ａ，１３ｂ，１３ｃ，…を開閉することにより、スプリンクラーによる散水が行われるようになっている。
【００２３】
パーソナルコンピュータ１１は、市販されている汎用品である。このパーソナルコンピュータ１１は、各散水バルブ１３ａ，１３ｂ，１３ｃ，…の開閉動作を制御するための制御信号を発信するものである。パーソナルコンピュータ１１から命令を入力して即座に各散水バルブ１３ａ，１３ｂ，１３ｃ，…を作動させてスプリンクラーによる散水を行うこともできるし、あらかじめ作成した散水プログラムをパーソナルコンピュータ１１に入力し、その散水プログラムにしたがって各散水バルブ１３ａ，１３ｂ，１３ｃ，…を作動させてスプリンクラーによる散水を行うこともできるようになっている。例えば、グリーンに対する散水であれば、グリーンキーパーの経験に基づいて散水プログラムを作成すればよい。
【００２４】
散水コントローラ１２ａ，１２ｂ，１２ｃ，…は、すべて同一の構成を有しており、パーソナルコンピュータ１１から出力される制御信号を受信して、各散水バルブ１３ａ，１３ｂ，１３ｃ，…を作動させるためのパルス信号を生成し、そのパルス信号を各散水バルブ１３ａ，１３ｂ，１３ｃ，…に対して出力するものである。そこで、散水コントローラの構成を図２に示す。なお、図２は、散水コントローラの構成を示すブロック図である。なお、以下の説明では適宜、各散水コントローラ１２ａ，１２ｂ，１２ｃ，…、および各散水バルブ１３ａ，１３ｂ，１３ｃ，…を、符号ａ，ｂ，ｃ，…を省略して、散水コントローラ１２および散水バルブ１３として表記して説明する。
【００２５】
散水コントローラ１２には、図２に示すように、メインＣＰＵ２０と、１ＣＨ出力回路２１と、ＬＡＮ接続回路２２と、乾電池ボックス２５と、ソーラセル２８に接続されたソーラ電池保護回路２６と、ＡＣアダプタ入力端子２７とが備わっている。メインＣＰＵ２０は、散水コントローラ１２の動作を統括的に制御するものであり、ワンチップマイコンで構成されている。そして、このＣＰＵ２０には、散水バルブ１３に接続された１ＣＨ出力回路２１と、パーソナルコンピュータ１１にＬＡＮケーブルを介して接続されたＬＡＮ接続回路２２が接続されている。これにより、パーソナルコンピュータ１１と各散水コントローラ１２ａ，１２ｂ，１２ｃ，…および散水バルブ１３ａ，１３ｂ，１３ｃ，…とで遠距離操作が可能な散水システムが構築されている。
【００２６】
そして、本実施の形態では、汎用のパーソナルコンピュータ１１と散水コントローラ１２ａ，１２ｂ，１２ｃ，…とによりネットワークが構成されているので、容易かつ安価に散水システムを構築することができる。特に、各散水コントローラ１２ａ，１２ｂ，１２ｃ，…は、各散水バルブ１３ａ，１３ｂ，１３ｃ，…に対する命令の受信と発信のみを行うように構成しているので部品点数が少ないため、非常に安価にて製造することができるとともに、メンテナンス費も安価にでき、また信頼性も高い。
【００２７】
また、メインＣＰＵ２０には、乾電池ボックス２５、ソーラセル２８に接続されるとともにバッテリを備えるソーラ電池保護回路２６、およびＡＣアダプタ入力端子２７が接続されている。このように、散水コントローラ１２は、電源として３系統の供給源を有しており、使用電源の融通性が非常に高い。したがって、散水コントローラ１２は電源設備のない場所にも設置することができる。
【００２８】
続いて、散水バルブ１３について図３を参照して説明する。図３は、散水バルブ１３の構成を示す断面図である。散水バルブ１３は、自己保持型電磁弁の１種であるラッチ型電磁弁である。このように、散水バルブ１３としてラッチ型電磁弁を使用することにより、散水コントローラ１２における消費電力を低減することができる。そして、散水バルブ１３には、図３に示すように、固定鉄心５１の周りにコイル５２の巻かれたソレノイド部が構成され、固定鉄心５１の下方には同軸上に先端に弁体６１の形成されたプランジャ５３が配設されている。また、本体５４には、入力ポート５５及び出力ポート５６が形成され、両ポートは本体５４内部に形成された弁座５７を介して連通されている。そして、スプリング５８によって下方に付勢されたプランジャ５３が、弁座５７に当接するように設けられている。更に、コイル５３下部には、磁性部材６２，６３で挟まれた永久磁石５９が配設されている。
【００２９】
そして、入力ポート５５に給水管（図示せず）が接続され、出力ポート５６に散水ノズル（図示せず）が接続されている。これにより、散水バルブ１３の開閉動作を制御することにより、スプリンクラーによる散水動作を制御することができるようになっている。具体的には、１ＣＨ出力回路２１から出力されるパルス信号により、散水バルブ１３の開閉動作が制御されるようになっている。
【００３０】
次に、上記のような構成を有する散水システム１０の動作について説明する。まず、管理事務所に設置されているパーソナルコンピュータ１１に、各散水場所に対する散水条件を入力する。例えば、散水開始時間や散水時間、さらには気象条件などを入力する。そうすると、パーソナルコンピュータ１１にインストールされた散水プログラムにしたがって、各散水コントローラ１２ａ，１２ｂ，１２ｃ，…に対する指令が生成される。
【００３１】
次いで、パーソナルコンピュータ１１で生成された指令は、各散水コントローラ１２ａ，１２ｂ，１２ｃ，…に内蔵された各ＬＡＮ接続回路２２を介して、各メインＣＰＵ２０に送信される。そして、パーソナルコンピュータ１１からの指令を、各散水コントローラ１２ａ，１２ｂ，１２ｃ，…の各メインＣＰＵ２０が受信すると、各メインＣＰＵ２０は、受信した命令内容にしたがって各１ＣＨ出力回路２１にパルス信号生成命令を出力する。このパルス信号生成命令が各１ＣＨ出力回路２１に入力されると、各散水バルブ１３ａ，１３ｂ，１３ｃ，…に対するパルス信号が出力される。
【００３２】
そして、１ＣＨ出力回路２１からプラスのパルス信号が出力されて散水ノズル１３に入力されると、コイル５２に磁界が発生し、この磁界と永久磁石５９の磁界方向とが合致するため、下方に付勢していたスプリング５８に反してプランジャ５９が上方へ吸引される。そのため、それまでプランジャ５９下端の弁体６１が弁座５７に当接され流路を遮断していたが、プランジャ５９の上昇により弁が開放され入力ポート５５から出力ポート５６へ水が流れることとなる。また、上記したようにパルス信号は１回のみ印加されるが、パルスの印加後は永久磁石５９の磁力によってプランジャ５３は、上昇した状態が維持される。したがって、散水が開始されると、そのまま継続して散水が行われる。
【００３３】
一方、１ＣＨ出力回路２１から散水ノズル１２に対してマイナスのパルス信号が出力されて散水ノズル１２に入力されると、コイル５２に発生する磁界と永久磁石５９の磁界とが打ち消し合い、その結果、両磁力から開放されるので、スプリング５８によって下方へ付勢されて弁体６１が弁座５７に当接して入力ポート５５と出力ポートとが遮断される。これにより、散水が終了する。
【００３４】
このように、管理事務所に設置されたパーソナルコンピュータ１１によって、ゴルフ場の各所に設置された散水バルブ１３ａ，１３ｂ，１３ｃ，…の開閉動作の制御、つまり散水制御を集中的に行うことができる。このため、ゴルフ場における散水作業を効率よく行うことができる。
【００３５】
ここで、ＬＡＮ接続回路２２を、図４に示すような無線ＬＡＮ対応型のものにすることにより、無線システムを構築することもできる。さらに、Ｗｅｂサーバ機能を持たせることにより、インターネットや携帯電話などから直接、散水バルブ１３の開閉動作を制御することができる。これにより、利便性が一段と向上する。
【００３６】
以上、詳細に説明したように本実施の形態に係る散水システム１０は、各散水バルブ１３ａ，１３ｂ，１３ｃ，…と、それらの散水バルブ１３ａ，１３ｂ，１３ｃ，…に対する命令を出す汎用のパーソナルコンピュータ１１と、そのパーソナルコンピュータ１１からの命令に基づき各散水バルブ１３ａ，１３ｂ，１３ｃ，…の動作を制御するとともに、パーソナルコンピュータ１１と各散水コントローラ１２ａ，１２ｂ，１２ｃ，…とをＬＡＮ接続するＬＡＮ接続回２１を備える各散水コントローラ１２ａ，１２ｂ，１２ｃ，…とにより構成されいるので、容易かつ安価にシステムを構築することができる。
【００３７】
また、本発明に係る散水システムにおいては、パーソナルコンピュータから入力された散水プログラムにしたがって各散水バルブ１３ａ，１３ｂ，１３ｃ，…の動作を制御することができるので、より細やかな散水を行うことができる。
【００３８】
また、本発明に係る散水システムにおいて、ＬＡＮ接続回路２１を無線ＬＡＮ対応型のものにすることにより、容易に無線システムを構築することができるとともに、携帯電話などの携帯端末からも散水制御を行うことが可能になる。
【００３９】
そして、本発明に係る各散水コントローラ１２ａ，１２ｂ，１２ｃ，…は、それぞれ乾電池ボックス２５、ソーラセル２８に接続されるとともにバッテリを備えるソーラ電池保護回路２６、およびＡＣアダプタ入力端子２７が備わっているので、使用電源の融通性が非常に高い。したがって、各散水コントローラ１２ａ，１２ｂ，１２ｃ，…は、電源設備のない場所にも設置することができる。
【００４０】
なお、上記した実施の形態は単なる例示にすぎず、本発明を何ら限定するものではなく、その要旨を逸脱しない範囲内で種々の改良、変形が可能であることはもちろんである。例えば、上記実施の形態では、本発明をゴルフ場の散水システムに適用した場合について説明したが、ゴルフ場以外にも、家庭用の散水システム（植木や芝生への散水）、マンションやビルの屋上緑化、あるいは公園の緑化などの散水システムにも適用することができる。
【００４１】
【発明の効果】
以上説明した通り本発明に係る散水システムによれば、設置場所に散水を行う散水機と、散水機に対する命令を出すパーソナルコンピュータと、パーソナルコンピュータからの命令に基づき散水機の動作を制御するコントローラと、パーソナルコンピュータとコントローラとをＬＡＮ接続するＬＡＮ接続回路とを有するので、容易かつ安価にてシステムを構築することができる。
【００４２】
そして、本発明に係る散水コントローラは、自己保持型電磁弁を備える散水機の動作を制御する散水コントローラであって、電源と、ＣＰＵと、散水機に対しパルス信号を出力するパルス信号出力回路と、外部装置とＬＡＮ接続を行うためのＬＡＮ接続回路とを備え、ＣＰＵは、ＬＡＮ接続回路に接続された外部装置からの命令にしたがって散水機に対するパルス信号生成命令を出力し、パルス信号出力回路は、パルス信号生成命令に基づいて散水機の動作制御を行うためのパルス信号を出力する。このように、散水コントローラは、散水機に対する命令の受信と発信のみを行うように構成しているので部品点数が少ないため、非常に安価にて製造することができるとともに、メンテナンス費も安価にでき、また信頼性も高い。
【図面の簡単な説明】
【図１】実施の形態に係る散水システムの概略構成を示すシステム構成図である。
【図２】実施の形態に係る散水コントローラの概略構成を示すブロック図である。
【図３】散水バルブの概略構成を示す断面図である。
【図４】ＬＡＮ接続回路を無線ＬＡＮ対応型にした場合におけるシステム構成図である。
【図５】従来の散水システムの概略構成を示すシステム構成図である。
【図６】従来の無線を利用した散水システムの概略構成を示すシステム構成図である。
【符号の説明】
１０    散水システム
１１    パーソナルコンピュータ
１２    散水コントローラ
１３    散水バルブ
２０    メインＣＰＵ
２１    １ＣＨ出力回路
２２    ＬＡＮ接続回路
２５    乾電池ボックス
２６    ソーラ電池保護回路
２７    ＡＣアダプタ入力端子
２８    ソーラセル
【図１】
2004173583.tif 000003
【図２】
2004173583.tif 000004
【図３】
2004173583.tif 000005
【図４】
2004173583.tif 000006
【図５】
2004173583.tif 000007
【図６】
2004173583.tif 000008